(57)【特許請求の範囲】
【請求項１】
ウエスト開口部及び一対のレッグ開口部と、着用者の股間部に対応する股下部とを有し、該ウエスト開口部から該股下部に向かう方向である縦方向と、該縦方 向と直交する方向である幅方向とを有しており、前記股下部の肌対向面上に吸収性パッドを配して着用される前記縦方向及び前記幅方向それぞれに伸長性を有するパンツ型のパッドホルダーであって、
前記幅方向に伸縮性を有するパッド押さえ伸縮ベルトと、前身頃に配され前記縦方向の伸長性を抑制しうる、前記縦方向に延びる一対の前身頃第１伸長抑制部とを有しており、
前記パッド押さえ伸縮ベルトは、前記ウエスト開口部と、着用時に配される前記吸収性パッドの縦方向の端部を覆いうる位置との間に亘って配され、該パッド押さえ伸縮ベルトによって着用者の腸骨稜が覆われるようになされており、
一対の前記前身頃第１伸長抑制部は、前記股下部から両側部に向かって前記パッド押さえ伸縮ベルトに連結するように左右対称に延びており、一対の該前身頃第１伸長抑制部どうしの間の領域は、前記縦方向に伸長性を有し、前記幅方向に伸縮性を有しており、
前記縦方向に延びる一対の前身頃第１伸長抑制部は、略円弧状に形成されており、該一対の前身頃第１伸長抑制部は、前記股下部において互いに接しないように配置され、
後身頃に配され前記縦方向の伸長性を抑制しうる、前記縦方向に延びる一対の後身頃第１伸長抑制部を有しており、一対の前記後身頃第１伸長抑制部は、前記 股下部から両側部に向かって前記パッド押さえ伸縮ベルトに連結するように左右対称に延びており、幅方向外方に凸状に湾曲しながら延在し、
前記後身頃に配され前記縦方向の伸長性を抑制しうる、前記縦方向に延びる一対の後身頃中間伸長抑制部を有しており、一対の前記後身頃中間伸長抑制部は、 一対の前記後身頃第１伸長抑制部の間に配され、前記股下部から両側部に向かって前記パッド押さえ伸縮ベルトに連結するように左右対称に延びており、
前身頃においては、一対の前記前身頃第１伸長抑制部のみが前記パッド押さえ伸縮ベルトに連結されており、
後身頃においては、一対の前記後身頃第１伸長抑制部と一対の前記後身頃中間伸長抑制部とが、前記パッド押さえ伸縮ベルトに連結されているパッドホルダー。
【請求項２】
前記前身頃に配され前記幅方向の伸長性を抑制しうる前身頃第２伸長抑制部を有し、該前身頃第２伸長抑制部は、一対の前記前身頃第１伸長抑制部どうしの間に亘って、前記縦方向に間欠的に複数本配されており、
複数本の前記前身頃第２伸長抑制部のうちの最も前記ウエスト開口部寄りの該前身頃第２伸長抑制部は、前記縦方向においては、前記パッド押さえ伸縮ベルトの下端に接して配され、
前記パッド押さえ伸縮ベルトと一対の前記前身頃第１伸長抑制部とは、最も前記ウエスト開口部寄りの前記前身頃第２伸長抑制部を介して連結されている請求項１記載のパッドホルダー。
【請求項３】
前記パッド押さえ伸縮ベルトの前記縦方向の長さが、前記パッドホルダーの前記縦方向の長さの３０％以上７０％以下である請求項１又は２に記載のパッドホルダー。
【請求項４】
前記パッド押さえ伸縮ベルトは、２重の生地から形成されている請求項１〜３の何れか１項に記載のパッドホルダー。
【請求項５】
前記パッド押さえ伸縮ベルトは、前記縦方向にも伸縮性を有しており、前記幅方向の最大伸長率が前記縦方向の最大伸長率よりも小さい請求項１〜４の何れか１項に記載のパッドホルダー。
【請求項６】
一対の前記後身頃中間伸長抑制部は、幅方向外方に凸状に湾曲しながら延在している請求項１〜５の何れか１項に記載のパッドホルダー。
【請求項７】
前記後身頃に配され前記幅方向の伸長性を抑制しうる後身頃第２伸長抑制部を有し、該後身頃第２伸長抑制部は、一対の前記後身頃第１伸長抑制部どうしの間に亘って、前記縦方向に間欠的に複数本配されている請求項６記載のパッドホルダー。
【請求項８】
複数本の前記後身頃第２伸長抑制部のうちの最も前記ウエスト開口部寄りの前記後身頃第２伸長抑制部は、前記縦方向においては、前記パッド押さえ伸縮ベルトの下端に接して配され、
前記パッド押さえ伸縮ベルトと一対の前記後身頃第１伸長抑制部とは、最も前記ウエスト開口部寄りの前記後身頃第２伸長抑制部を介して連結されている請求項７記載のパッドホルダー。
【請求項９】
前記前身頃に配され前記幅方向の伸長性を抑制しうる前身頃第２伸長抑制部を有し、
最も前記ウエスト開口部寄りの前記前身頃第２伸長抑制部と、最も前記ウエスト開口部寄りの前記後身頃第２伸長抑制部とが連接されている請求項８記載のパッドホルダー。
【請求項１０】
一対の前記後身頃第１伸長抑制部は、前記股下部において互いに接していない請求項６〜９の何れか１項に記載のパッドホルダー。
【発明の詳細な説明】
【技術分野】
【０００１】
本発明は、吸収性パッドと併用されるパッドホルダーに関する。
【背景技術】
【０００２】
従来、パッドホルダーの股下部の肌対向面上に吸収性パッドを取り付けた状態で該パッドホルダーを着用し、吸収性パッドが液を吸収した後に、吸収性パッドのみを新品と交換する一方、パッドホルダーは再利用することが行われている。斯かるパッドホルダーは、吸収性パッドを着用者の股間部にフィットした状態に保持するものであり、パッドホルダーを吸収性パッドと組み合わせて使用することにより、ゴミの量やコストの削減を図ることができる。
【０００３】
従来のパッドホルダーとして、伸縮性シートから形成され、ウエスト開口部及び一対のレッグ開口部を有し、股下部の肌対向面上に吸収性パッドを配して着用されるパッドホルダーが知られている。例えば、特許文献１には、クロッチ部から腰天回り部に向けて設けられた帯状領域に伸縮性が微少な部材で構成された微伸縮部が割り当てられており、腰天回り部近傍で後身頃と前身頃に亘って設けられたウエストホールド部を備えるショーツが記載されている。
【０００４】
また、先に出願人は、レッグ開口部の開口周縁部にレッグ部弾性部材が配されて太腿ギャザーが形成されており、前身頃に、着用者のそけい部に沿ってそけい部弾性部材が配されてそけいギャザーが形成されているパッドホルダーを提案した（特許文献２参照）。
【先行技術文献】
【特許文献】
【０００５】
【特許文献１】特開２００４−２５４８６０号公報
【特許文献２】特開２００８−２８４０３８号公報
【発明の概要】
【発明が解決しようとする課題】
【０００６】
特許文献１に記載のショーツは、ウエストホールド部が細い帯状に形成されているため、装着時にズレを防止することが難しく、生理用ナプキン、パッド等の吸収性物品を保持することが難しかった。また、特許文献１に記載のショーツは、クロッチ部から腰天回り部に向けて微伸縮部を１本、細幅状に設けられているのみであるため、該ショーツを引き上げて着用する際に、微伸縮部に歪みが生じ易く、期待するフィット感が得られず、フィット性に劣るものであった。
また、特許文献２に開示のパッドホルダーによれば、パッドの股間部へのフィット性や防漏性に優れているが、更に装着時のズレを防止し、パッドの保持性、フィット性及び防漏性が向上したパッドホルダーが望まれていた。
【０００７】
従って、本発明の課題は、前述した従来技術が有する欠点を解消し得るパッドホルダーを提供することにある。
【課題を解決するための手段】
【０００８】
本発明は、ウエスト開口部及び一対のレッグ開口部と、着用者の股間部に対応する股下部とを有し、該ウエスト開口部から該股下部に向かう方向である縦方向と、該縦方向と直交する方向である幅方向とを有しており、前記股下部の肌対向面上に吸収性パッドを配して着用される前記縦方向及び前記幅方向それぞれに伸長性を有するパンツ型のパッドホルダーであって、前記幅方向に伸縮性を有するパッド押さえ伸縮ベルトと、前身頃に配され前記縦方向の伸長性を抑制しうる、前記縦方向に延びる一対の前身頃第１伸長抑制部とを有しており、前記パッド押さえ伸縮ベルトは、前記ウエスト開口部と、着用時に配される前記吸収性パッドの縦方向の端部を覆いうる位置との間に亘って配され、該パッド押さえ伸縮ベルトによって着用者の腸骨稜が覆われるようになされており、一対の前記前身頃第１伸長抑制部は、前記股下部から両側部に向かって前記パッド押さえ伸縮ベルトに連結するように左右対称に延びており、一対の該前身頃第１伸長抑制部どうしの間の領域は、前記縦方向に伸長性を有し、前記幅方向に伸縮性を有しているパッドホルダーを提供するものである。
【発明の効果】
【０００９】
本発明のパッドホルダーは、装着時の吸収性パッドのズレを防止し、併用される吸収性パッドの保持性及びフィット性が向上し、防漏性に優れている。
【図面の簡単な説明】
【００１０】
【図１】本発明のパッドホルダーの一実施形態を、前身頃と後身頃の肌対向面同士を面接させて平面状とした状態（自然状態）において、前身頃側から見た背面図である。
【図２】図１に示すパッドホルダーの使用状態（着用状態）を前身頃側から見た図である。
【図３】図１に示すパッドホルダーを、前身頃と後身頃の肌対向面同士を面接させて平面状とした状態（自然状態）において、後身頃側から見た正図である。
【図４】図１に示すパッドホルダーの使用状態（着用状態）を後身頃側から見た図である。
【図５】図１に示すパッドホルダーの使用状態（着用状態）を側方から見た図である。
【図６】腸骨稜の位置を示す人体図である。
【発明を実施するための形態】
【００１１】
以下、本発明のパッドホルダーを、その好ましい実施形態に基づき図面を参照して説明する。
本実施形態のパッドホルダー１は、図１，図３（自然状態）に示すように、パンツ型の形態を有し、ウエスト開口部５及び一対のレッグ開口部６，６と、着用者の股間部に対応する股下部４とを有している。ウエスト開口部５は、着用者のウエスト部分が挿通される部分であり、一対のレッグ開口部６，６は、着用者の脚が挿通される部分である。
また、パッドホルダー１は、図１，図３に示すように、ウエスト開口部５から股下部４に向かう縦方向（以下、「Ｙ方向」ともいう）と、縦方向（Ｙ方向）と直交する幅方向（以下、「Ｘ方向」ともいう）とを有している。
また、パッドホルダー１は、図１に示すように、パッドホルダー１の着用時に着用者の腹側に配される前身頃２と、図３に示すように、パッドホルダー１の着用時に着用者の背側に配される後身頃３とを有している。
【００１２】
パッドホルダー１は、股下部４の肌対向面（パッドホルダー着用時に着用者の肌側に向けられる面）上に、図２及び４に示すように、吸収性パッド７が配された状態で着用される。股下部４は、着用時に着用者の股間部に配される部分である。吸収性パッド７は、一般に、液透過性の表面シート、液不透過性又は撥水性の裏面シート及びこれら両シート間に挟持固定された吸収性コアを備えている。吸収性パッド７は、前記裏面シート側の面に、パッドホルダー１に固定するための固定手段（粘着部等）を有するものでも有しないものであっても良い。
パッドホルダー１は、図１，図３に示すように、パッドホルダーの縦方向（Ｙ方向）に延びる縦中心線ＣＬに対して左右対称に形成されている。
【００１３】
本発明のパッドホルダーは、縦方向（Ｙ方向）及び幅方向（Ｘ方向）それぞれに少なくとも伸長性を有していればよいが、幅方向（Ｘ方向）に伸縮性を有していることが好ましく、幅方向（Ｘ方向）及び縦方向（Ｙ方向）それぞれに伸縮性を有していることが更に好ましい。パッドホルダー１においては、後身頃２及び前身頃３それぞれが、伸縮性シートで構成されており、幅方向（Ｘ方向）及び縦方向（Ｙ方向）それぞれに伸縮性を有しており、全体的に伸縮性を有している。尚、縦方向（Ｙ方向）及び幅方向（Ｘ方向）それぞれに伸縮性（特に臀部〜背側腰部）を有すると、歩行や立ち座り等の動きによる臀部近傍の皮膚の伸びにパッドホルダー１が追従し易くなり、ずり落ちの発生を抑制し易くなるので好ましく、また、腹部（特に高齢者の多重腹）や臀部等の凹凸のある複雑形状に沿うことが容易となり、フィット性が良好となる点からも好ましい。
【００１４】
パッドホルダー１を形成する伸縮性シートとしては、編地、伸縮性不織布等を用いることができるが、特に、糸自体が伸縮性を有すると共に、伸縮性が発現し易い編み方で形成された編地を用いることが好ましい。
パッドホルダー１は、丸編機等により製造された伸縮性に富む円筒状の編地から形成されており、後身頃２及び前身頃３が、股下部４において互いに接合されて、図１，図３に示すように、接合部４２を形成しており、股下部４以外においては、互いをつなぎ合わせる継ぎ目が無いシームレスで形成されている。パッドホルダー１における接合部４２は、図１，図３に示すように、股下部４から一対のレッグ開口部６，６に至るまで延びて形成されているが、接合部４２を有さずに、後身頃２及び前身頃３をつなぎ合わせる継ぎ目の無い全域シームレスで形成されていてもよい。
一対のレッグ開口部６，６間の領域４１の幅方向（Ｘ方向）距離は、パッドホルダー１および吸収性パッド７の着用者の股間部への密着性向上の観点から、３〜１５ｃｍであることが好ましく、６〜１２ｃｍであることがより好ましい。
【００１５】
パッドホルダー１の接合部４２は、図１，図３に示すように、後身頃２及び前身頃３を股下部４において互いに縫製により接合されているが、接着剤や、ファスナー等の係止手段や、ボタン等を用いることもできる。接合部４２は、強い引き上げ力に抗する強度を確保する観点から、縫製等により使用時には開閉不能に閉じられていることが好ましい。
【００１６】
本発明のパッドホルダーは、少なくとも幅方向（Ｘ方向）に伸縮性を有するパッド押さえ伸縮ベルト８を有しており、パッド押さえ伸縮ベルト８は、ウエスト開口部５と、吸収性パッド７の縦方向（Ｙ方向）の端部７１を覆いうる位置との間に亘って配され（図２，図４参照）、パッド押さえ伸縮ベルト８によって着用者の腸骨稜９が覆われるようになされている（図２参照）。詳述すると、パッド押さえ伸縮ベルト８は、パッドホルダー１においては、縦方向（Ｙ方向）及び幅方向（Ｘ方向）それぞれに伸縮性を有する伸縮性の材料から構成されており、図１〜図４に示すように、ウエスト開口部５の開口縁から、着用される吸収性パッド７の縦方向（Ｙ方向）の端部７１を覆いうる位置に亘って配され、ウエスト開口部５の開口縁全周に沿って形成されている。このように、パッド押さえ伸縮ベルト８が、腹巻き状の太い環状に形成されており、着用時に、パッド押さえ伸縮ベルト８によって着用者の腸骨稜９とともに上前腸骨棘９１も覆うように形成されている。
【００１７】
尚、腸骨稜（ちょうこつりょう）（図６に符号９で示す部分）及び上前腸骨棘（じょうぜんちょうこつきょく）（図６に符号９１で示す部分）は、共に解剖学の用語である。上前腸骨棘９１は、図６に示すように、腸骨稜９の前方下部に位置する鈍円な突起である。ここで、腸骨稜について説明すると、腸骨稜は、腸骨（ちょうこつ）が、寛骨臼（かんこつきゅう）の上部を作る腸骨体（ちょうこつたい）とそれより上方において扇状に拡がる腸骨翼（ちょうこつよく）とを有しており、その腸骨翼の上縁（図６に符号９で部分）に位置する部分のことである。上前腸骨棘９１及び腸骨稜９は、着用者の左右に一対存在する。尚、図２には、へその位置を符号１０で示してある。
【００１８】
パッド押さえ伸縮ベルト８は、縦方向（Ｙ方向）の長さが、パッドホルダー１の縦方向（Ｙ方向）の長さの３０％以上であることが好ましく、履き心地とパッドの装着感の観点から、７０％以下であることが更に好ましい。特に、３５％以上６５％以下であることが好ましい。尚、パッド押さえ伸縮ベルト８の縦方向（Ｙ方向）の長さもパッドホルダー１の縦方向（Ｙ方向）の長さも自然状態での、パッドホルダー幅方向長さを二等分する線である中心線ＣＬに沿って測定したときの、前身頃及び後身頃それぞれにおける長さである。
パッド押さえ伸縮ベルト８は、自然状態において、縦方向（Ｙ方向）の長さが８０〜２１０ｍｍであることが好ましく、パッドホルダー１は、自然状態において、縦方向（Ｙ方向）の長さが２３０〜３３０ｍｍ、特に２５０〜３００ｍｍであることが好ましい。
【００１９】
パッド押さえ伸縮ベルト８は、上述したように、少なくとも幅方向（Ｘ方向）に伸縮性を有していればよいが、パッドホルダー１においては、後身頃２及び前身頃３それぞれが、幅方向（Ｘ方向）及び縦方向（Ｙ方向）それぞれに伸縮性を有する伸縮性材料、詳細には伸縮性シートで構成されており、全体的に伸縮性を有している。このように、全体的に伸縮性を有すると、履きやすく高齢者の体型にもフィットし、装着時に苦しくない。更にホルダーのズレ落ち防止及びパッドのフィット性に優れる。
【００２０】
パッド押さえ伸縮ベルト８を形成する伸縮性シートとしては、パッドホルダー１と同様に、編地、伸縮性不織布等を用いることができ、編地を用いる場合には、編地の編み方や網目の密度を変えることにより幅方向（Ｘ方向）及び／又は縦方向（Ｙ方向）の後述する最大伸長率や伸長応力を適宜調節したり、伸縮性に富むシートに、伸長性に劣る帯状のシートを縫合や融着等により接合して幅方向（Ｘ方向）及び／又は縦方向（Ｙ方向）の後述する最大伸長率等を適宜調節したりしたものを用いてもよい。パッドホルダー１のパッド押さえ伸縮ベルト８は、パッドホルダー１を形成する編地を、網目を密にすることにより縦方向（Ｙ方向）に対して幅方向（Ｘ方向）のみ最大伸長率を低下させ、その部分を折り返し、その端部をホルダーの内面（又は外面）に固定することにより形成されており、２重に形成されている。尚、編地を折り返すのに代えて、パッド押さえ伸縮ベルト８は、パッドホルダー１とは別の編地、弾性部材、例えば、ポリウレタン繊維を含む伸縮性織布や不織布、合成ゴムシート、天然ゴムシート等を取り付けて形成してもよい。
【００２１】
前述のように、パッド押さえ伸縮ベルト８は、パッドホルダー１においては、幅方向（Ｘ方向）及び縦方向（Ｙ方向）それぞれに伸縮性を有する編地を用いているが、幅方向（Ｘ方向）のみ最大伸長率を低下させて形成されており、幅方向（Ｘ方向）の最大伸長率が、縦方向（Ｙ方向）の最大伸長率よりも小さい。その為、ホルダーのズレ落ち防止及びパッドのフィット性にすぐれる。
【００２２】
ここで最大伸長率とは、それ以上伸ばせない長さ（材破する直前の長さ）まで伸長したときの伸長率であり、最大伸長率は、下記式（１）で求められる。
最大伸長率（％）＝｛（伸長後の長さ−伸長前の長さ）／伸長前の長さ｝×１００％  （１）
【００２３】
前身頃２及び後身頃３それぞれにおけるパッド押さえ伸縮ベルト８の幅方向（Ｘ方向）の最大伸長率は、ホルダーのズレ落ち防止と適度な装着感を与える観点から、２００％未満であることが好ましく、１３０〜１９０％がより好ましく、１４０〜１８０％が更に好ましい。また、縦方向（Ｙ方向）の最大伸長率は、ホルダーのズレ落ち防止及びパッドの装着位置安定性の観点から５００％未満であることが好ましく、１５０〜４５０％がより好ましく、２５０〜３５０％が更に好ましい。
【００２４】
パッド押さえ伸縮ベルト８は、幅方向（Ｘ方向）及び縦方向（Ｙ方向）それぞれに伸縮性を有する編地を用いているが、幅方向（Ｘ方向）の伸長応力が、縦方向（Ｙ方向）の伸長応力よりも大きい。その為、ホルダーのズレ落ち防止及びパッドのフィット性にすぐれる。ここで伸長応力とは、伸長率１００％まで伸長させたときの荷重である。
【００２５】
前身頃２及び後身頃３それぞれにおけるパッド押さえ伸縮ベルト８の幅方向（Ｘ方向）の伸長応力は、３５Ｎ未満であることが好ましく、１０〜３０Ｎがより好ましく、１５〜２５Ｎが更に好ましい。また、縦方向（Ｙ方向）の伸長応力は、３０Ｎ未満であることが好ましく、５〜２５Ｎがより好ましく、７〜１５Ｎが更に好ましい。
【００２６】
以下に、パッド押さえ伸縮ベルト８の幅方向（Ｘ方向）及び縦方向（Ｙ方向）の最大伸長率及び伸長応力の測定方法について詳述する。
【００２７】
〔パッド押さえ伸縮ベルト８の幅方向（Ｘ方向）の最大伸長率及び伸長応力測定方法〕
測定対象のパッドホルダーから、自然状態において、その幅方向（Ｘ方向）に１００ｍｍ、長手方向（Ｙ方向相当）に３０ｍｍの寸法の長方形形状で、かつ、測定用サンプルの長手方向（Ｘ方向相当）に、パッド押さえ伸縮ベルト８が、少なくとも６０ｍｍの範囲に亘って含まれるように切り出し、この切り出された長方形形状を測定用サンプルとする。なお、上記サンプル調製方法では、６０ｍｍの範囲全長に亘り連続してパッド押さえ伸縮ベルト８が配置されていることを前提としているが、パッド押さえ伸縮ベルト８がその一部で分断されている形態もこの範疇に含めるものとする。
この測定サンプルを、その長手方向（Ｘ方向相当）が引っ張り方向となるように、引張試験機のチャックに取り付ける。チャック間距離は５０ｍｍ（チャック部は測定用サンプルの前後２５ｍｍの部分）とする。測定サンプルを３００ｍｍ／ｍｉｎで引っ張り、測定用サンプルの少なくとも一部が材破した時のチャック間距離を測定し、最大伸長率とする。
ただし、１００Ｎ荷重後も測定用サンプルが材破しない場合は、１００Ｎ荷重時のチャック間距離を測定し、最大伸長率とする。
また、上記と同じようにサンプル調製及び測定方法で引っ張り、測定用サンプルの伸長率１００％まで伸長させたときの荷重を伸長応力とする。
測定対象のパッドホルダーから上記のようにサンプルが取り出せない場合は、適宜サンプル長さ、サンプル幅、チャック間距離、チャック幅、を変更しても良い。
【００２８】
〔パッド押さえ伸縮ベルト８の縦方向（Ｙ方向）の最大伸長率及び伸長応力測定方法〕
測定対象のパッドホルダーから、自然状態において、その縦方向（Ｙ方向）に１００ｍｍ、幅方向（Ｘ方向）に３０ｍｍの寸法の長方形形状で、かつ、測定用サンプルの長手方向（Ｙ方向相当）中央に少なくとも６０ｍｍの範囲に亘ってパッド押さえ伸縮ベルト８２が含まれるように切り出し、この切り出された長方形形状を測定用サンプルとする。なお、上記サンプル調整方法は６０ｍｍの範囲全長に亘り連続してパッド押さえ伸縮ベルト８が配置されていることを前提としているが、パッド押さえ伸縮ベルト８が、その一部で分断されている形態もこの範疇に含めるものとする。
この測定サンプルを、その長手方向（Ｙ方向相当）が引っ張り方向となるように、引張試験機のチャックに取り付ける。チャック間距離は５０ｍｍ（チャック部は測定用サンプルの前後２５ｍｍの部分）とする。測定サンプルを３００ｍｍ／ｍｉｎで引っ張り、測定用サンプルの少なくとも一部が材破した時のチャック間距離を測定し、最大伸長率とする。
ただし、１００Ｎ荷重後も測定用サンプルが材破しない場合は、１００Ｎ荷重時のチャック間距離を測定し、最大伸長率とする。
また、上記と同じようにサンプル調製及び測定方法で引っ張り、測定用サンプルの伸長率１００％まで伸長させたときの荷重を伸長応力とする。
測定対象のパッドホルダーから上記のように測定用サンプルが取り出せない場合は、適宜サンプル長さ、サンプル幅、チャック間距離、チャック幅、を変更しても良い。
【００２９】
また、前述のように、パッドホルダー１のパッド押さえ伸縮ベルト８は、２重の生地（伸縮性シート）から形成されている。その為、締め付け力を強くすることができるとともに、保温効果を向上させることができる。
【００３０】
尚、一対のレッグ開口部６，６それぞれの開口周縁部には、レッグ開口弾性部６１が環状に形成されている。レッグ開口弾性部６１は、レッグ開口部６の周方向に伸縮する。パッドホルダー１におけるレッグ開口弾性部６１は、パッド押さえ伸縮ベルト８と同様に、伸縮性シートを折り返し、その端部をホルダー内面（又は外面）に固定することにより形成されていてもよいし、これに代えて、パッド押さえ伸縮ベルト８と同様に、別の弾性部材、例えば、ポリウレタン繊維を含む伸縮性織布や不織布、合成ゴムシート、天然ゴムシート等を取り付けて形成してもよい。
【００３１】
次に、パッドホルダー１の前身頃２について詳述すると、本発明のパッドホルダーは、図１，図２に示すように、前身頃２に縦方向に延びるように配されて、縦方向（Ｙ方向）の伸長性を抑制しうる一対の前身頃第１伸長抑制部２１，２２を有している。一対の前身頃第１伸長抑制部２１，２２は、股下部４から両側部１ａ，１ａに向かってパッド押さえ伸縮ベルト８に連結するように左右対称に延びている。ここで、側部１ａ，１ａとは、図１，図３に示すように、パッドホルダー１を、前身頃２と後身頃３との肌対向面どうしを面接させて、平面状の自然状態としたときに生じる折曲線近傍の部分である。また、「連結する」とは、伸長抑制部がパッド押さえ伸縮ベルト８と直接繋がっている場合の他、他の連結部を介して接続されている場合も含む。この場合、連結部は縦方向の伸長を抑制する部分であることが好ましい。本実施形態においては、前身頃伸長抑制部２１，２２がパッド押さえ伸縮ベルト８とは第２伸張抑制部２４１を介して連結しており、第２伸長抑制部２４１は幅方向及び縦方向の伸長性を抑制するものである。一対の前身頃第１伸長抑制部２１，２２は、接合部４２において互いに接しないことが好ましい。一対の一対の前身頃第１伸長抑制部２１，２２は、図１に示すように、股下部４側の一端部２１ａ，２２ａそれぞれが、一対のレッグ開口部６，６間の領域４１まで入り込んで接合部４２に連結するように帯状に延びており、ウエスト開口部５側の他端部２１ｂ，２２ｂそれぞれが、両側部１ａ，１ａに向かってパッド押さえ伸縮ベルト８に連結するように帯状に延びている。一対の前身頃第１伸長抑制部２１，２２は、図１に示すように、略円弧状に形成されており、着脱性及び着用感の観点から、着用者のそけい部に沿わないように形成されていることが好ましい。前身頃第１伸長抑制部２１と前身頃第１伸長抑制部２２とは、中心線ＣＬを対称軸に、左右対称に形成されている。一対の前身頃第１伸長抑制部２１，２２の幅（図１のＸ方向の長さ）は特に制限されないが、例えば図示例のものの幅は０．５〜５ｃｍ程度である。
【００３２】
本発明のパッドホルダーにおいては、一対の前身頃第１伸長抑制部２１，２２どうしの間の領域２３は、縦方向（Ｙ方向）に伸長性を有し、少なくとも幅方向（Ｘ方向）に伸縮性を有していればよいが、パッドホルダー１においては、上述したように、幅方向（Ｘ方向）及び縦方向（Ｙ方向）それぞれに伸縮性を有する伸縮性シートで構成されている。このような伸縮性シートで領域２３が構成されていると、吸収性パッドの装着性及び保持性の観点から好ましい。
【００３３】
パッドホルダーは、前身頃３において、図１に示すように、幅方向（Ｘ方向）の伸長性を抑制しうる、幅方向（Ｘ方向）に延びる前身頃第２伸長抑制部２４を３〜８本有していることが好ましく、パッドホルダー１においては、４本の前身頃第２伸長抑制部２４１，２４２，２４３，２４４を有している。４本の前身頃第２伸長抑制部２４１，２４２，２４３，２４４は、一対の前身頃第１伸長抑制部２１，２２どうしの間に亘って、パッドホルダー１の縦方向（Ｙ方向）に間欠に配置されている。４本の前身頃第２伸長抑制部２４のうちの最もウエスト開口部５寄りの前身頃第２伸長抑制部２４１は、パッドホルダー１の縦方向（Ｙ方向）においては、パッド押さえ伸縮ベルト８の下端に接して配され、幅方向（Ｘ方向）においては、後身頃第２伸長抑制部３５１と連続しており、且つ一対の前身頃第１伸長抑制部２１，２２と接続又は交差している。
【００３４】
また、図１に示すように、４本の前身頃第２伸長抑制部２４のうちの最も股下部４寄りの前身頃第２伸長抑制部２４４は、パッドホルダー１の縦方向（Ｙ方向）においては、接合部４２の上方に配され、幅方向（Ｘ方向）においては、一対の前身頃第１伸長抑制部２１，２２どうしの間に亘って配されている。そして、前身頃第２伸長抑制部２４１と前身頃第２伸長抑制部２４４との間に配された２本の前身頃第２伸長抑制部２４２，２４３それぞれは、パッドホルダー１の縦方向（Ｙ方向）においては、略等間隔を開けて間欠的に配置されており、一対の前身頃第１伸長抑制部２１，２２どうしの間に亘って配されている。前身頃第２伸長抑制部２４の幅（図１のＹ方向の長さ）は特に制限されないが、例えば図示例のものの幅は０．５〜５ｃｍ程度である。
【００３５】
前身頃第１伸長抑制部２１，２２、及び前身頃第２伸長抑制部２４は、それらの部分の編地の網目を他の部分より密にすることで後述する最大伸長率等を低下させたり、伸縮性に富むシートに、伸長性に劣る帯状のシートを縫合や融着等により接合して後述する最大伸長率等を低下させたりして形成される。
【００３６】
前身頃第１伸長抑制部２１，２２それぞれの縦方向（Ｙ方向）の最大伸長率は、吸収性パッドを着用者の股間部に安定的にフィットした状態に保持する観点から、パッドホルダー１においては、パッド押さえ伸縮ベルト８の縦方向（Ｙ方向）の最大伸長率よりも低いことが好ましい。前身頃第１伸長抑制部２１，２２それぞれの縦方向（Ｙ方向）の最大伸長率は、１８０％未満であることが好ましく、２０〜１５０％がより好ましく、４０〜１２０％が更に好ましい。前身頃第１伸長抑制部２１，２２の縦方向（Ｙ方向）の最大伸長率の測定方法は、上記パッド押さえ伸縮ベルト８の測定方法に準じる。但し、測定用サンプルを切り出す際には、測定用サンプル中に可能な限り、他の伸長抑制部を含まないようにして切り出し、測定対象のパッドホルダーから上記のように測定用サンプルが取り出せない場合は、適宜サンプル長さ、サンプル幅、チャック間距離、チャック幅、を変更して測定する。
【００３７】
一対の前身頃第１伸長抑制部２１，２２どうしの間の領域２３（高伸長領域）は、その幅方向（Ｘ方向）の最大伸長率が、７０％以上、特に１２０％以上であることが好ましい。
但し、上記最大伸長率は、パッドホルダー１のように、前身頃第２伸長抑制部２４（４本の前身頃第２伸長抑制部２４１，２４２，２４３，２４４）を備えている場合には、領域２３から前身頃第２伸長抑制部２４（４本の前身頃第２伸長抑制部２４１，２４２，２４３，２４４）を除いた領域（高伸長領域）の値である。領域２３の幅方向（Ｘ方向）の最大伸長率の測定方法は、上記パッド押さえ伸縮ベルト８の測定方法に準じる。但し、測定用サンプルを切り出す際には、測定用サンプル中に可能な限り、他の伸長抑制部を含まないようにして切り出し、測定対象のパッドホルダーから上記のように測定用サンプルが取り出せない場合は、適宜サンプル長さ、サンプル幅、チャック間距離、チャック幅、を変更して測定する。
【００３８】
また、パッドホルダー１の有する前身頃第２伸長抑制部２４（４本の前身頃第２伸長抑制部２４１，２４２，２４３，２４４）の幅方向（Ｘ方向）の最大伸長率は、吸収パッドを確実に押さえる観点から、パッド押さえ伸縮ベルト８の幅方向（Ｘ方向）の最大伸長率よりも低いことが好ましい。パッドホルダー１の有する前身頃第２伸長抑制部２４（４本の前身頃第２伸長抑制部２４１，２４２，２４３，２４４）の幅方向（Ｘ方向）の最大伸長率は、２００％未満であることが好ましく、５０〜１８０％がより好ましく、７０〜１６０％が更に好ましい。前身頃第２伸長抑制部２４（４本の前身頃第２伸長抑制部２４１，２４２，２４３，２４４）の幅方向（Ｘ方向）の最大伸長率の測定方法は、上記パッド押さえ伸縮ベルト８の測定方法に準じる。但し、測定用サンプルを切り出す際には、測定用サンプル中に可能な限り、他の伸長抑制部を含まないようにして切り出し、測定対象のパッドホルダーから上記のように測定用サンプルが取り出せない場合は、適宜サンプル長さ、サンプル幅、チャック間距離、チャック幅、を変更して測定する。
【００３９】
次に、パッドホルダー１の後身頃３について詳述する。
パッドホルダー１は、後身頃３においては、図３，図４に示すように、縦方向（Ｙ方向）の伸長性を抑制しうる一対の後身頃第１伸長抑制部３１，３２を有している。一対の後身頃第１伸長抑制部３１，３２は、図３，図４に示すように、股下部４から両側部１ａ，１ａに向かってパッド押さえ伸縮ベルト８に連結するように左右対称に帯状に延びており、幅方向（Ｘ方向）外方に凸状に湾曲しながら延在している。一対の後身頃第１伸長抑制部３１，３２は、図３に示すように、接合部４２において互いに接しておらず、股下部４側の一端部３１ａ，３２ａそれぞれが、一対のレッグ開口部６，６間の領域４１まで入り込んで接合部４２に連結するように帯状に延びており、ウエスト開口部５側の他端部３１ｂ，３２ｂそれぞれが、両側部１ａ，１ａに向かってパッド押さえ伸縮ベルト８に後身頃第２伸張抑制部３５１を介して連結するように帯状に延びている。一対の後身頃第１伸長抑制部３１，３２は、図３，図４に示すように、略円弧状に形成されており、後身頃第１伸長抑制部３１と後身頃第１伸長抑制部３２とは、中心線ＣＬを対称軸に、左右対称に形成されている。一対の後身頃第１伸長抑制部３１，３２の幅（図３のＸ方向の長さ）は特に制限されないが、例えば図示例のものの幅は０．５〜５ｃｍ程度である。なお、本実施形態では後身頃第２伸長抑制部３５１は幅方向及び縦方向の伸長性を抑制する。
【００４０】
パッドホルダー１は、後身頃３においては、図３，図４に示すように、縦方向（Ｙ方向）の伸長性を抑制しうる一対の後身頃中間伸長抑制部３３，３４が、中心線ＣＬを対称軸に、左右対称に形成されている。図３，図４に示すように、後身頃中間伸長抑制部３３は、後身頃第１伸長抑制部３１と中心線ＣＬとの間に配され、後身頃中間伸長抑制部３４は、後身頃第１伸長抑制部３２と中心線ＣＬとの間に配されている。一対の後身頃中間伸長抑制部３３，３４は、接合部４２において互いに接しておらず、股下部４からパッド押さえ伸縮ベルト８に連結するように左右対称に帯状に延びており、幅方向（Ｘ方向）外方に凸状に湾曲しながら延在している。一対の後身頃中間伸長抑制部３３，３４は、図３に示すように、接合部４２において後身頃第１伸長抑制部３１，３２とも接しておらず、股下部４側の一端部３３ａ，３４ａそれぞれが、一対のレッグ開口部６，６間の領域４１まで入り込んで接合部４２に連結するように帯状に延びており、ウエスト開口部５側の他端部３３ｂ，３４ｂそれぞれが、パッド押さえ伸縮ベルト８に後身頃第２伸長抑制部３５１を介して連結するように帯状に延びている。一対の後身頃中間伸長抑制部３３，３４の幅（図３のＸ方向の長さ）は特に制限されないが、例えば図示例のものの幅は０．５〜５ｃｍ程度である。
【００４１】
また、パッドホルダーは、後身頃３においては、図３，図４に示すように、幅方向（Ｘ方向）の伸長性を抑制しうる、幅方向（Ｘ方向）に延びる後身頃第２伸長抑制部３５を３〜８本有していることが好ましく、パッドホルダー１においては、４本の後身頃第２伸長抑制部３５１，３５２，３５３，３５４を有している。４本の後身頃第２伸長抑制部３５１，３５２，３５３，３５４は、図３，図４に示すように、パッドホルダー１においては、縦方向（Ｙ方向）に略等間隔に間欠に配置されており、互いに並行となるように配置されている。後身頃第２伸長抑制部３５の幅（図３のＹ方向の長さ）は特に制限されないが、例えば図示例のものの幅は０．５〜５ｃｍ程度である。
【００４２】
４本の後身頃第２伸長抑制部３５１，３５２，３５３，３５４のうちの最もウエスト開口部５寄りの後身頃第２伸長抑制部３５１は、パッドホルダー１の縦方向（Ｙ方向）においては、パッド押さえ伸縮ベルト８の下端に接して配され、幅方向（Ｘ方向）においては、前身頃第２伸長抑制部２４１と連続しており、且つ一対の後身頃中間伸長抑制部３３，３４及び一対の後身頃第１伸長抑制部３１，３２と接続又は交差している。また、図３に示すように、４本の後身頃第２伸長抑制部３５のうちの最も股下部４寄りの後身頃第２伸長抑制部３５４は、パッドホルダー１の縦方向（Ｙ方向）においては、接合部４２の上方に配され、幅方向（Ｘ方向）においては、一対の後身頃中間伸長抑制部３３，３４と交差し、一対の後身頃第１伸長抑制部３１，３２どうしの間に亘って配されている。そして、後身頃第２伸長抑制部３５１と後身頃第２伸長抑制部３５４との間に配された２本の後身頃第２伸長抑制部３５２，３５３それぞれは、パッドホルダー１の縦方向（Ｙ方向）においては、略等間隔を開けて間欠的に配置されており、一対の後身頃中間伸長抑制部３３，３４と交差し、一対の後身頃第１伸長抑制部３１，３２どうしの間に亘って配されている。
【００４３】
後身頃第１伸長抑制部３１，３２、後身頃中間伸長抑制部３３，３４及び後身頃第２伸長抑制部３５は、それらの部分の編地の網目を他の部分より密にすることで最大伸長率等を低下させたり、伸縮性に富むシートに、伸長性に劣る帯状のシートを縫合や融着等により接合して最大伸長率等を低下させたりして形成される。
【００４４】
後身頃第１伸長抑制部３１，３２及び後身頃中間伸長抑制部３３，３４それぞれの縦方向（Ｙ方向）の最大伸長率は、１８０％未満であることが好ましく、２０〜１５０％がより好ましく、４０〜１２０％が更に好ましい。後身頃第１伸長抑制部３１，３２及び後身頃中間伸長抑制部３３，３４の縦方向（Ｙ方向）の最大伸長率の測定方法は、上記パッド押さえ伸縮ベルト８の測定方法に準じる。但し、測定用サンプルを切り出す際には、測定用サンプル中に可能な限り、他の伸長抑制部を含まないようにして切り出し、測定対象のパッドホルダーから上記のように測定用サンプルが取り出せない場合は、適宜サンプル長さ、サンプル幅、チャック間距離、チャック幅、を変更して測定する。
【００４５】
また、後身頃第２伸長抑制部３５（４本の後身頃第２伸長抑制部３５１，３５２，３５３，３５４）の幅方向（Ｘ方向）の最大伸長率は、２００％未満であることが好ましく、５０〜１８０％がより好ましく、７０〜１６０％が更に好ましい。後身頃第２伸長抑制部３５（４本の後身頃第２伸長抑制部３５１，３５２，３５３，３５４）の幅方向（Ｘ方向）の最大伸長率の測定方法は、上記パッド押さえ伸縮ベルト８の測定方法に準じる。但し、測定用サンプルを切り出す際には、測定用サンプル中に可能な限り、他の伸長抑制部を含まないようにして切り出し、測定対象のパッドホルダーから上記のように測定用サンプルが取り出せない場合は、適宜サンプル長さ、サンプル幅、チャック間距離、チャック幅、を変更して測定する。
【００４６】
パッドホルダー１においては、図５に示すように、前身頃２の４本の前身頃第２伸長抑制部２４のうちの最もウエスト開口部５寄りの前身頃第２伸長抑制部２４１と、後身頃３の４本の後身頃第２伸長抑制部３５のうちの最もウエスト開口部５寄りの後身頃第２伸長抑制部３５１とが、連接されている。このように、パッド押さえ伸縮ベルト８以外の部位でも、前身頃２と後身頃３とが伸長抑制部で連接されているため、パッドを確実に保持することが出来る。
【００４７】
次に上述した本発明の実施形態のパッドホルダー１を使用した際の作用効果について説明する。
本実施形態のパッドホルダー１は、図１〜図２に示すように、パッド押さえ伸縮ベルト８と、一対の前身頃第１伸長抑制部２１，２２とを有しており、パッド押さえ伸縮ベルト８が着用者の腸骨稜９を覆うように幅広に形成され、一対の前身頃第１伸長抑制部２１，２２が股下部４から両側部１ａ，１ａに向かってパッド押さえ伸縮ベルト８に連結するように延びており、一対の前身頃第１伸長抑制部２１，２２どうしの間の領域２３が幅方向（Ｘ方向）に伸縮性を有している。特に、腸骨稜９を覆うパッド押さえ伸縮ベルト８と一対の前身頃第１伸長抑制部２１，２２とが第２伸長抑制部２４１を介して連結しているため、体液吸収後の吸収性パッド７がズレ落ち難く、吸収性パッド７の保持性が向上する。特に、パッド押さえ伸縮ベルト８が着用者の腸骨稜９を覆うように幅広に形成されているので、ズレ落ちを防止しながら、着用者の胴周りを緩くしめることができ、フィット性が向上する。また、幅広のパッド押さえ伸縮ベルト８により、骨盤周辺を固定するため、装着感に優れ、骨盤周辺の筋肉に作用して姿勢を矯正することができる。
【００４８】
また、本実施形態のパッドホルダー１は、前身頃２においては、図１〜図２に示すように、幅方向（Ｘ方向）に延びる、前身頃第２伸長抑制部２４を複数本有しているので、体液吸収後の吸収性パッド７の中間領域を押さえることができるので、更にズレ落ち難く、吸収性パッド７の保持性が更に向上する。
【００４９】
以上、本発明をその好ましい実施形態に基づき説明したが、本発明は実施形態に制限されない。
例えば、上述したパッドホルダー１においては、図１，図３に示すように、ブリーフ型であるが、ボクサーブリーフ型や、トランクス型でもよい。また、上述したパッドホルダー１においては、図３に示すように、後身頃３に、一対の後身頃第１伸長抑制部３１，３２、一対の後身頃中間伸長抑制部３３，３４、及び複数本の後身頃第２伸長抑制部３５を有しているが、有しなくてもよく、何れかの抑制部のみを有していてもよい。
【符号の説明】
【００５０】
１  パッドホルダー
１ａ  側部
２  前身頃
２１，２２  前身頃第１伸長抑制部
２１ａ，２２ａ  前身頃第１伸長抑制部の一端部
２１ｂ，２２ｂ  前身頃第１伸長抑制部の他端部
２３  一対の前身頃第１伸長抑制部どうしの間の領域
２４（２４１，２４２，２４３，２４４）  前身頃第２伸長抑制部
３  後身頃
３１，３２  後身頃第１伸長抑制部
３１ａ，３２ａ  後身頃第１伸長抑制部の一端部
３１ｂ，３２ｂ  後身頃第１伸長抑制部の他端部
３３，３４  後身頃中間伸長抑制部
３５（３５１，３５２，３５３，３５４）  後身頃第２伸長抑制部
４  股下部
４１  一対のレッグ開口部間の領域
４２  接合部
５  ウエスト開口部
５１  ウエスト開口弾性部
６  レッグ開口部
６１  レッグ開口弾性部材
７  吸収性パッド
７１  縦方向（Ｙ方向）の端部
８  パッド押さえ伸縮ベルト
９  腸骨稜
９１  上前腸骨棘
１０  へそ
【図１】
0005764313.tif 000002
【図２】
0005764313.tif 000003
【図３】
0005764313.tif 000004
【図４】
0005764313.tif 000005
【図５】
0005764313.tif 000006
【図６】
0005764313.tif 000007